(57)【要約】【課題】簡易な構成でフェライトコアの軸方向の移動を抑制することができるフェライトコアの固定構造を提供すること。【解決手段】フェライトコア１の固定構造は、複数のケーブルが結束バンドで拘束されており、１つの磁性体コア材又は複数の磁性体コア材で構成されるフェライトコア１の中空穴２にケーブル１１が挿通される。フェライトコア１は、ケーブル１１の一方端に設けられたコネクタ１２と結束バンド１３との間に設けられている。【選択図】図３
2020088456.tif 000002
【特許請求の範囲】
【請求項１】
複数のケーブルと、
複数の前記ケーブルを拘束する結束バンドと、
１つの磁性体コア材又は複数の磁性体コア材で構成されて中空穴が設けられるフェライトコアと、
を有し、
前記フェライトコアの中空穴に前記ケーブルが挿通され、前記ケーブルの一方端に設けられたコネクタと前記結束バンドとの間に前記フェライトコアが設けられている
フェライトコアの固定構造。
【請求項２】
複数の前記ケーブルの一部の本数が前記フェライトコアの中空穴に挿通されている
請求項１に記載のフェライトコアの固定構造。
【請求項３】
複数の前記ケーブルが全て前記フェライトコアの中空穴に挿通されている
請求項１に記載のフェライトコアの固定構造。
【請求項４】
前記フェライトコアの中空穴は円筒形状である
請求項１から３の何れか一項に記載のフェライトコアの固定構造。
【請求項５】
前記フェライトコアの中空穴の直径は、前記コネクタの最大幅よりも小さい
請求項４に記載のフェライトコアの固定構造。
【請求項６】
前記フェライトコアの中空穴の直径は、前記結束バンドの最大幅よりも小さい
請求項４又は５に記載のフェライトコアの固定構造。
【発明の詳細な説明】
【技術分野】
【０００１】
本発明は、フェライトコアの固定構造に関する。
【背景技術】
【０００２】
装置の筐体間又は筐体の内部に配設されるケーブルにフェライトコアを取り付けて高周波電流を阻止し、放射妨害波（電磁ノイズ）を抑制することが一般的に行われている。
【０００３】
フェライトコアの取り付け方法としては、例えば、円筒形状のフェライトコアにケーブルを挿通する態様のものや、二分割された半円筒形状のフェライトコアをケーブルにクランプする態様のものがある。このようなフェライトコアは、ケーブルの外径よりもフェライトコアの内径が大きい場合、フェライトコアがケーブルの軸方向に移動し、ケーブルの周囲の構造物にフェライトコアが衝突してフェライトコアが破損する可能性がある。下記特許文献１には、ホルダーにフェライトコアを取り付け、ホルダーの軸方向両端部から軸方向に沿って一対延設された電線固定部をケーブルにテープ止めする固定構造が開示されている。また、下記特許文献２には、フェライトコアを取り付けたケーブルにテープ又は結束バンドを取り付け、フェライトコアの軸方向の移動を抑制する結合方法が開示されている。
【先行技術文献】
【特許文献】
【０００４】
【特許文献１】特開２０１７−３８３５３号公報
【特許文献２】特開２００５−２２３２１２号公報
【発明の概要】
【発明が解決しようとする課題】
【０００５】
しかしながら、ホルダーを用いてフェライトコアを固定する構造では、ホルダーの他にホルダーを固定するためのテープが必要となる。また、テープや結束バンドによりフェライトコアの軸方向への移動を抑制する手法では、フェライトコアの両端側にテープや結束バンドを取り付ける必要がある。
【０００６】
本発明は、上記の課題に鑑みてなされたものであって、簡易な構成でフェライトコアの軸方向の移動を抑制することができるフェライトコアの固定構造を提供すること、を目的としている。
【課題を解決するための手段】
【０００７】
上記の目的を達成するため、本発明の一態様に係るフェライトコアの固定構造は、複数のケーブルと、複数の前記ケーブルを拘束する結束バンドと、１つの磁性体コア材又は複数の磁性体コア材で構成されて中空穴が設けられるフェライトコアと、を有し、前記フェライトコアの中空穴に前記ケーブルが挿通され、前記ケーブルの一方端に設けられたコネクタと前記結束バンドとの間に前記フェライトコアが設けられている。
【０００８】
これにより、簡易な構成でフェライトコアの軸方向の移動を抑制することができる。
【０００９】
フェライトコアの固定構造の望ましい態様として、複数の前記ケーブルの一部の本数が前記フェライトコアの中空穴に挿通されていることが好ましい。
【００１０】
これにより、フェライトコアの軸方向の移動がコネクタと結束バンドとの間に制限される。
【００１１】
フェライトコアの固定構造の望ましい態様として、複数の前記ケーブルが全て前記フェライトコアの中空穴に挿通されていることが好ましい。
【００１２】
これにより、フェライトコアの軸方向の移動が、コネクタと結束バンドとの間に制限される。
【００１３】
フェライトコアの固定構造の望ましい態様として、前記フェライトコアの中空穴は円筒形状であることが好ましい。
【００１４】
これにより、汎用型のフェライトコアを用いることができる。
【００１５】
フェライトコアの固定構造の望ましい態様として、前記フェライトコアの中空穴の直径は、前記コネクタの最大幅よりも小さいことが好ましい。
【００１６】
これにより、フェライトコアの軸方向への移動がコネクタにより制限される。
【００１７】
フェライトコアの固定構造の望ましい態様として、前記フェライトコアの中空穴の直径は、前記結束バンドの最大幅よりも小さいことが好ましい。
【００１８】
これにより、フェライトコアの軸方向への移動が結束バンドにより制限される。
【発明の効果】
【００１９】
本発明によれば、簡易な構成でフェライトコアの軸方向の移動を抑制することができるフェライトコアの固定構造を提供することができる。
【図面の簡単な説明】
【００２０】
【図１】図１は、フェライトコアの形状の一例を示す第１図である。
【図２】図２は、フェライトコアの形状の一例を示す第２図である。
【図３】図３は、実施形態１に係るフェライトコアの固定構造の一例を示す図である。
【図４】図４は、実施形態２に係るフェライトコアの固定構造の一例を示す図である。
【図５】図５は、図４のＡ矢示図である。
【発明を実施するための形態】
【００２１】
以下、発明を実施するための形態（以下、実施形態という）につき図面を参照しつつ詳細に説明する。なお、下記の実施形態により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００２２】
（実施形態１）
図１は、フェライトコアの形状の一例を示す第１図である。図２は、フェライトコアの形状の一例を示す第２図である。図１及び図２では、一般的な構造の汎用型のフェライトコアを例示している。
【００２３】
図１に示すフェライトコア１は、円筒形状の１つの磁性体コア材で構成されている。図２に示すフェライトコア１は、図１に示す円筒形状の磁性体コア材が半円筒形状に二分割された態様であり、これら半円筒形状の２つの磁性体コア材１ａ，１ｂで構成されている。
【００２４】
図２に示す態様のフェライトコア１は、例えばプラスティックなどの合成樹脂により形成されたケース（不図示）によって磁性体コア材１ａ，１ｂが円筒形状に合体される。なお、磁性体コア材１ａ，１ｂを円筒形状に合体するための構造及び構成により本発明が限定されるものではない。
【００２５】
フェライトコア１は、軸心Ｘ方向に設けられた円筒形状の中空穴２に後述するケーブルが挿通される。これにより、ケーブルに流れる高周波のコモンモードノイズ電流を阻止し、放射妨害波（電磁ノイズ）が抑制される。
【００２６】
図１及び図２では、円筒形状のフェライトコア１を例示したが、フェライトコア１の形状は円筒形状に限定されない。また、フェライトコア１の中空穴２は、円筒形状に限定されない。フェライトコア１及びフェライトコア１の中空穴２の形状により本発明が限定されるものではない。
【００２７】
図３は、実施形態１に係るフェライトコアの固定構造の一例を示す図である。本実施形態では、複数のケーブル１１で構成されるケーブルハーネス１０におけるフェライトコア１の固定構造を対象としている。
【００２８】
図３に示すように、ケーブルハーネス１０は、複数のケーブル１１が結束バンド１３で拘束されている。
【００２９】
ケーブルハーネス１０は、装置間又は回路間で電気信号を伝送する。複数のケーブル１１は、それぞれ１本又は複数本の電線が絶縁体で被覆されている。図３に示す例では、複数のケーブル１１の一方端に１つのコネクタ１２が設けられている。複数のケーブル１１の他方端については図示していないが、同様に１つのコネクタが設けられた態様であっても良いし、ケーブル１１毎にコネクタが設けられた態様であっても良い。ケーブル１１の他方端の態様により本発明が限定されるものではない。
【００３０】
本実施形態では、図３に示すように、コネクタ１２と結束バンド１３との間にフェライトコア１を設け、ケーブルハーネス１０を構成する複数のケーブル１１のうちの一部の本数（図３に示す例では１本）をフェライトコア１の中空穴２に挿通する。これにより、フェライトコア１の軸方向の移動がコネクタ１２と結束バンド１３との間に制限され、フェライトコア１の軸方向の移動を抑制することができる。なお、本実施形態において、結束バンド１３は、コネクタ１２と結束バンド１３との間にフェライトコア１を設けることが可能な範囲で、コネクタ１２に近い位置に設けられていることが好ましい。
【００３１】
以上説明したように、実施形態１に係るフェライトコア１の固定構造は、複数のケーブル１１と、複数のケーブル１１を拘束する結束バンド１３と、１つの磁性体コア材又は複数の磁性体コア材１ａ，１ｂで構成されて中空穴２が設けられるフェライトコア１と、を有する。フェライトコア１の中空穴２には、ケーブル１１が挿通され、ケーブル１１の一方端に設けられたコネクタ１２と結束バンド１３との間にフェライトコア１が設けられている。
【００３２】
これにより、簡易な構成でフェライトコア１の軸方向の移動を抑制することができる。
【００３３】
また、複数のケーブル１１の一部の本数をフェライトコア１の中空穴２に挿通することで、フェライトコア１の軸方向の移動がコネクタ１２と結束バンド１３との間に制限され、フェライトコア１の軸方向の移動を抑制することができる。
【００３４】
（実施形態２）
図４は、実施形態２に係るフェライトコアの固定構造の一例を示す図である。図５は、図４のＡ矢示図である。
【００３５】
本実施形態では、図４に示すように、コネクタ１２と結束バンド１３との間にフェライトコア１を設け、ケーブルハーネス１０を構成する複数のケーブル１１を全てフェライトコア１の中空穴２に挿通する。
【００３６】
このような態様において、本実施形態では、図５に示すように、フェライトコア１の中空穴２の形状を円筒形状とし、中空穴２の直径Ｌ１を、コネクタ１２の最大幅Ｌ２よりも小さくすることで、フェライトコア１の軸方向の移動がコネクタ１２により制限される。また、中空穴２の直径Ｌ１を、結束バンド１３の最大幅Ｌ３よりも小さくすることで、フェライトコア１の軸方向の移動が結束バンド１３により制限される。これにより、フェライトコア１の軸方向の移動を抑制することができる。なお、本実施形態においても、実施形態１と同様に、結束バンド１３は、コネクタ１２と結束バンド１３との間にフェライトコア１を設けることが可能な範囲で、コネクタ１２に近い位置に設けられていることが好ましい。
【００３７】
なお、上述した実施形態では、複数のケーブル１１を拘束する既設の結束バンド１３を用いて、フェライトコア１の軸方向の移動を抑制する例を示したが、フェライトコア１の軸方向の移動を抑制可能な位置に、新たに結束バンドを取り付ける態様であっても良い。
【符号の説明】
【００３８】
１  フェライトコア
１ａ，１ｂ  磁性体コア材
２  中空穴
１０  ケーブルハーネス
１１  ケーブル
１２  コネクタ
１３  結束バンド
【図１】
2020088456.tif 000003
【図２】
2020088456.tif 000004
【図３】
2020088456.tif 000005
【図４】
2020088456.tif 000006
【図５】
2020088456.tif 000007